(57)【特許請求の範囲】
【請求項１】
二枚の網目状の生地を重ねてそれらの外周を縫合して形成された本体部と、
多数の合成樹脂製の筒状のストローチップを有する基材と、
前記本体部の一部に設けられて、前記二枚の生地の間に形成されて前記基材を収容するための袋状の部分からなる基材収容部と、
前記本体部の他の一部に設けられて、前記二枚の生地の間に形成されて洗濯対象のマスクを収容するための袋状の部分からなるマスク収容部と、
前記本体部における前記基材収容部の外面と前記マスク収容部の外面とに設けられて、前記マスク収容部を前記基材収容部の外面に固定するための固定具と、を備え、
前記マスク収容部を前記基材収容部の外面に巻き付けて前記固定具で固定するように構成した
ことを特徴とするマスク用洗濯ネット。
【請求項２】
前記本体部は、横長の略長方形状であり、
前記基材収容部と複数の前記マスク収容部とは、前記二枚の生地を縫合してなる縫合線で仕切られた部分であって、それらは前記本体部の長手方向に沿って並べて配置されている
ことを特徴とする請求項１に記載のマスク用洗濯ネット。
【請求項３】
前記基材は、前記多数のストローチップを網目状の生地からなるカバーに詰めてなるものであり、
前記基材収容部は、前記基材を出し入れすることが可能である
ことを特徴とする請求項１又は２に記載のマスク用洗濯ネット。
【請求項４】
二枚の網目状の生地を重ねてそれらの外周を縫合して形成された本体部と、
多数の合成樹脂製の筒状のストローチップをカバーに収容してなる基材と、
前記本体部に設けられて、前記二枚の生地の間に形成されて洗濯対象のマスクを収容するための袋状の部分からなるマスク収容部と、
前記カバーの外面と前記本体部の外面とに設けられて、前記本体部を前記基材の外面に固定するための固定具と、を備え、
前記本体部の前記マスク収容部を前記基材の外面に巻き付けて前記固定具で固定するように構成した
ことを特徴とするマスク用洗濯ネット。
【請求項５】
前記本体部は、横長の略長方形状であり、
複数の前記マスク収容部とは、前記二枚の生地を縫合してなる縫合線で仕切られた部分であって、それらは前記本体部の長手方向に沿って並べて配置されている
ことを特徴とする請求項４に記載のマスク用洗濯ネット。
【請求項６】
前記基材の縦方向の寸法は、前記本体部の縦方向の寸法よりも大きな寸法である
ことを特徴とする請求項５に記載のマスク用洗濯ネット。
【請求項７】
前記二枚の生地のうち一方の生地における少なくとも前記マスク収容部に対応する位置には、前記マスク収容部に対してマスクを出し入れするための開口部が設けられており、
前記開口部は、前記本体部の長手方向に沿って延びる所定幅のスリット状の部分である
ことを特徴とする請求項１乃至６のいずれか１項に記載のマスク用洗濯ネット。
【請求項８】
前記マスク収容部における前記開口部の一方側の部分と他方側の部分の比が約２：１になるように前記開口部が配置されている
ことを特徴とする請求項７にマスク用洗濯ネット。
【請求項９】
前記マスク収容部における前記二枚の生地のうち前記開口部を設けた側の生地の内面側には、ポリプロピレン製の不織布からなる滑り防止布が取り付けられている
ことを特徴とする請求項１乃至８のいずれか１項に記載のマスク用洗濯ネット。
【請求項１０】
前記固定具は、面ファスナーである
ことを特徴とする請求項１乃至９のいずれか１項に記載のマスク用洗濯ネット。
【発明の詳細な説明】
【技術分野】
【０００１】
本発明は、布製のマスクや不織布製の使い捨てマスクの洗濯機での洗濯に適したマスク用洗濯ネットに関する。
【背景技術】
【０００２】
従来から花粉・ホコリなどの微粒子が体内に侵入することを防ぐためにマスクを着用する人は多かったが、昨今、コロナウィルスなどのウイルス感染症予防のために殆どの人が日常的にマスクを着用するようになっている。しかしながら、マスクの価格が高騰して容易に手に入らないことなどもあり、本来は使い捨てである不織布製のマスクを洗濯して再利用するケースが増えている。また、繰り返しの使用が可能なガーゼなど布製のマスクの需要も増えている。このような状況では、マスクを毎日洗濯することが必要となる。
【０００３】
一般にマスクの洗濯は手洗いで行われており、通常推奨されているマスクの洗い方は、たらいに中性洗剤を溶かし入れ、そこにマスクを静かに入れて押し洗いとすすぎを繰り返し、洗った後にタオルに挟んで粗水を取ってから形を整えて干すようにする。しかしながら、特に女性が使用したマスクは化粧品などが付着している場合があり、このようなマスクに付着した化粧品は除去するのに手間がかかる。そのため、手洗いでは、毎日のマスクの洗濯に手間や時間が掛かってしまうため、マスクを洗濯機で洗うことができるようにすることが求められている。
【０００４】
この点に関して、従来、例えば特許文献１，２に示すように、下着や小物衣類などの洗濯物を入れて洗濯機で洗濯するための洗濯ネットがある。この種の洗濯ネットに収容された洗濯物は、洗濯機の洗濯槽に入れられて他の洗濯物と一緒にあるいは単独で洗濯される。ところが、布製のマスクや不織布製の使い捨てマスクを従来の洗濯ネットに入れて洗濯機で洗濯すると、洗濯ネット内でマスクが動き回ったり捩れて引っ張られたりすることで、マスクに型くずれや生地の毛羽立ちが生じるおそれが高い。
【０００５】
しかしながら、従来、布製のマスクや不織布製の使い捨てマスクに型くずれやしわや生地の痛みが生じることを極力防止しながら洗濯機による洗濯を簡単に行うことができるマスク用洗濯ネットは無かった。
【先行技術文献】
【特許文献】
【０００６】
【特許文献１】特許第６６８１６３１号公報
【特許文献２】特許第６２７５２３３号公報
【発明の概要】
【発明が解決しようとする課題】
【０００７】
本発明は、上記課題を解決するためになされたもので、その目的は、布製のマスクや不織布製の使い捨てマスクの洗濯機での洗濯に適したマスク用洗濯ネットを提供することにある。
【課題を解決するための手段】
【０００８】
上記目的を達成するため、本発明に係るマスク用洗濯ネットは、第一の態様として、二枚の網目状の生地（１１，１２）を重ねてそれらの外周を縫合して形成された本体部（１０）と、多数の合成樹脂製の筒状のストローチップ（５１）を有する基材（５０）と、前記本体部（１０）の一部に設けられて、前記二枚の生地（１１，１２）の間に形成されて前記基材（５０）を収容するための袋状の部分からなる基材収容部（２０）と、前記本体部（１０）の他の一部に設けられて、前記二枚の生地（１１，１２）の間に形成されて洗濯対象のマスク（１００）を収容するための袋状の部分からなるマスク収容部（３０，４０）と、前記本体部（１０）における前記基材収容部（２０）の外面と前記マスク収容部（３０，４０）の外面とに設けられて、前記マスク収容部（３０，４０）を前記基材収容部（２０）の外面に固定するための固定具（２，３）と、を備え、前記マスク収容部（３０，４０）を前記基材収容部（２０）の外面に巻き付けて前記固定具（２，３）で固定するように構成したことを特徴とする。
【０００９】
本発明にかかるマスク用洗濯ネットによれば、多数のストローチップを有する基材を収容した基材収容部の外面に、洗濯対象のマスクを収容したマスク収容部を固定具で固定するように構成したことで、マスクの型崩れを防止でき、かつ生地を極力傷めずに、マスクを洗濯機で洗うことができる。また、マスクを収容した状態での洗濯機による洗濯だけでなく、物干しハンガーによる乾燥も行うことが可能となるので、マスクを洗濯して乾燥させるまでの作業を非常に簡単かつ効率的に行うことができる。
【００１０】
すなわち、このマスク用洗濯ネットによれば、本体部は、網目状の生地を二枚重ねた構成であり、かつ、基材もストローチップを網目状の生地からなるカバーに収容してなる構成なので、洗濯機による洗濯で、マスクに付着した汚れを簡単に落とすことができ、マスクを綺麗に洗い上げることが可能となる。これにより、日常において手軽に清潔なマスクを使い続けることができるようになるので、健康の維持にも役立つ効果がある。
【００１１】
また、このマスク用洗濯ネットによれば、マスクを洗濯機で他の洗濯物と一緒に洗うことができるので、日常の洗濯の際にマスクを手軽に洗うことができ、家事の負担を大幅に軽減させることができる。また、不織布製の使い捨てマスクも洗濯機で簡単に洗って再利用ができるようになるので、マスクの購入費用を抑えることができる。
【００１２】
また、このマスク用洗濯ネットでは、前記本体部（１０）は、横長の略長方形状であり、前記基材収容部（２０）と複数の前記マスク収容部（３０，４０）とは、前記二枚の生地（１１，１２）を縫合してなる縫合線（１４）で仕切られた部分であって、それらは前記本体部（１０）の長手方向に沿って並べて配置されていてもよい。
【００１３】
この構成によれば、簡単な構成のマスク用洗濯ネットでありながら、複数枚のマスクを同時に洗濯機で洗濯できるので、マスクを洗濯する際の効率をさらに向上させることができる。また、複数枚のマスクを同時に洗濯しても、マスクに型崩れや生地の傷み（毛羽立ちなど）が生じることを効果的に回避できるようになる。
【００１４】
また、このマスク用洗濯ネットでは、前記基材（５０）は、前記多数のストローチップ（５１）を網目状の生地からなるカバー（５２）に詰めてなるものであり、前記基材収容部（２０）は、前記基材（５０）を出し入れすることが可能であってもよい。
【００１５】
マスク用洗濯ネットの使用を続けると基材が劣化する可能性があるところ、この構成によれば、マスク用洗濯ネットに対して基材を着脱可能にしたことで、基材が劣化した場合には交換することができる。したがって、マスク用洗濯ネットの耐久性を向上させることができるので、長期間に渡っての使用が可能となる。
【００１６】
また、本発明に係るマスク用洗濯ネットは、第二の態様として、二枚の網目状の生地（１１，１２）を重ねてそれらの外周を縫合して形成された本体部（１０−２）と、多数の合成樹脂製の筒状のストローチップ（５１）をカバー（５２）に収容してなる基材（５０−２）と、前記本体部（１０−２）に設けられて、前記二枚の生地（１１，１２）の間に形成されて洗濯対象のマスク（１００）を収容するための袋状の部分からなるマスク収容部（３０，４０）と、前記カバー（５２）の外面と前記本体部（１０−２）の外面とに設けられて、前記本体部（１０−２）を前記基材（５０−２）の外面に固定するための固定具（２−２，３−２）と、を備え、前記本体部（１０−２）の前記マスク収容部（３０，４０）を前記基材（５０−２）の外面に巻き付けて前記固定具（２−２，３−２）で固定するように構成したことを特徴とする。
【００１７】
本発明にかかる第二の態様のマスク用洗濯ネットによれば、基材における多数のストローチップを収容してなる網目状の生地からなるカバーの外面に、洗濯対象のマスクを収容したマスク収容部を固定具で固定するように構成したことで、先に示した第一の態様のマスク用洗濯ネットと同様に、マスクの型崩れを防止でき、かつ生地を極力傷めずに、マスクを洗濯機で洗うことができる。また、マスクを収容した状態での洗濯機による洗濯だけでなく、脱水機による脱水、物干しハンガーによる乾燥、又は乾燥機による乾燥なども行うことが可能となるので、マスクを洗濯して乾燥させるまでの作業を非常に簡単かつ効率的に行うことができる。
【００１８】
また、この第二の態様のマスク用洗濯ネットでは、前記本体部（１０−２）は、横長の略長方形状であり、複数の前記マスク収容部（３０，４０）とは、前記二枚の生地（１１，１２）を縫合してなる縫合線（１４）で仕切られた部分であって、それらは前記本体部（１０−２）の長手方向に沿って並べて配置されていてもよい。
【００１９】
この構成によれば、簡単な構成のマスク用洗濯ネットでありながら、複数枚のマスクを同時に洗濯機で洗濯できるので、マスクを洗濯する際の効率をさらに向上させることができる。また、複数枚のマスクを同時に洗濯しても、マスクに型崩れや生地の傷み（毛羽立ちなど）が生じることを効果的に回避できるようになる。
【００２０】
また、この第二の態様のマスク用洗濯ネットでは、前記基材（５０−２）の縦方向の寸法は、前記本体部（１０−２）の縦方向の寸法よりも大きな寸法であることが望ましい。
【００２１】
この構成によれば、基材の縦方向の寸法が本体部の縦方向の寸法よりも大きな寸法であることで、本体部のマスク収容部及び該マスク収容部に収容されたマスクが基材の胴体部分（縦方向における上端部及び下端部を除く中間部分）に巻き付けられた状態で固定されるようになる。これにより、洗濯中にマスク収容部及び該マスク収容部に収容されたマスクの端辺（縦方向の両端辺）が基材の表面にしっかりと貼り付いた状態を維持して洗濯できるので、マスクの端辺によれやしわなどが生じることを効果的に防止でき、マスクを極力劣化させずに洗い上げることができる。したがって、繰り返しの洗濯でもマスクに型くずれやしわや生地の痛みなどが生じることを極力防止することができる。
【００２２】
また、前記構成を備えた本発明のマスク用洗濯ネットでは、前記二枚の生地（１１，１２）のうち一方の生地（１２）における少なくとも前記マスク収容部（３０，４０）に対応する位置には、前記マスク収容部（３０，４０）に対してマスク（１００）を出し入れするための開口部（３１，４１）が設けられており、前記開口部（３１，４１）は、前記本体部（１０，１０−２）の長手方向に沿って延びる所定幅のスリット状の部分であってもよい。またこの場合、前記マスク収容部（３０，４０）における前記開口部（３１，４１）の一方側（後述する実施形態における上側）の部分と他方側（後述する実施形態における下側）の部分の比が約２：１になるように前記開口部（３１，４１）が配置されているとよい。
【００２３】
この構成によれば、マスク収容部の開口部を所定幅のスリット状の部分としたことで、マスク収容部に対してマスクを出し入れする作業が行い易くなるので、マスクを洗濯する作業の負担をさらに軽減することができる。特に、マスク収容部における開口部の一方側の部分と他方側の部分の比が約２：１になるように開口部を配置したことで、マスクを収容する際、マスク収容部の一方側にマスクを入れてから他方側に入れることなどによって、マスク収容部に対するマスクの出し入れが行い易くなる。
【００２４】
また、本発明のマスク用洗濯ネットでは、前記マスク収容部（３０，４０）における前記二枚の生地（１１，１２）のうち前記開口部（３１，４１）を設けた側の生地（１２）の内面側には、ポリプロピレン製の不織布からなる滑り防止布（１３）が取り付けられていてもよい。
【００２５】
この構成によれば、マスク収容部の生地の内面側に取り付けたポリプロピレン製の不織布からなる滑り防止布が、マスク収容部に収容されたマスクの滑り止めとしての機能を発揮することで、マスクを洗濯機で洗濯する際に、マスク収容部内のマスクがずれたりしわになったりすることを効果的に防止できる。このことによっても、マスクの型崩れを防止でき、かつ生地を極力傷めずに済む。
【００２６】
また、本発明のマスク用洗濯ネットでは、前記固定具（２，３）は、面ファスナーであってよい。
【００２７】
この構成によれば、基材収容部の外面に巻き付けたマスク収容部を面ファスナーで簡単かつ確実に固定することができるので、マスク用洗濯ネットの使い勝手を更に向上させることができる。
【発明の効果】
【００２８】
本発明にかかるマスク用洗濯ネットによれば、洗濯機による洗濯で布製のマスクや不織布製の使い捨てマスクを簡単かつ綺麗に洗うことを可能としながらも、マスクに型くずれやしわや生地の痛みなどが生じることを極力防止することができる。
【図面の簡単な説明】
【００２９】
【図１】本発明の第一実施形態にかかるマスク用洗濯ネットの本体部を示す図で、本体部を表面（外面）側から見た図である。
【図２】本発明の第一実施形態にかかるマスク用洗濯ネットの本体部を示す図で、本体部を裏面（内面）側から見た図である。
【図３】（ａ）は、図２のＡ−Ａ矢視断面図、（ｂ）は、図２のＢ−Ｂ矢視断面図である。
【図４】第一実施形態のマスク用洗濯ネットの本体部及び基材を示す図である。
【図５】第一実施形態のマスク用洗濯ネットのマスク収容部に洗濯対象のマスクを収容する手順を示す図である。
【図６】第一実施形態のマスク用洗濯ネットのマスク収容部を基材収容部の外面に巻き付けて固定する手順を示す図である。
【図７】本発明の第二実施形態にかかるマスク用洗濯ネットを示す図で、マスク用洗濯ネットの本体部及び基材を示す図である。
【図８】第二実施形態のマスク用洗濯ネットの本体部を基材の外面に巻き付けて固定した状態を示す図で、（ａ）は表面側から見た図、（ｂ）は上側からみた概略図である。
【発明を実施するための形態】
【００３０】
以下、添付図面を参照して本発明の実施の形態を説明する。
〔第一実施形態〕
図１及び図２は、本発明の第一実施形態にかかるマスク用洗濯ネットの本体部を示す図で、図１は、本体部を表面（外面）側から見た図、図２は、本体部を裏面（内面）側から見た図である。また、図３（ａ）は、図２のＡ−Ａ矢視断面図、図３（ｂ）は、図２のＢ−Ｂ矢視断面図である。図４は、マスク用洗濯ネットの本体部及び基材を示す図である。なお、以下の説明で上又は下あるいは左又は右というときは、図１又は図２に示す向きでの上又は下あるいは左又は右を指すものとする。
【００３１】
これらの図に示すように、本実施形態のマスク用洗濯ネット１は、網目状（メッシュ状）の二枚の生地１１，１２を表面側と裏面側で二枚重ねてそれらの外周を縫合して形成された本体部１０と、多数の合成繊維製の筒状のストローチップ５１を網目状の生地からなるカバー５２に収容してなる基材５０（図４参照）とを備えている。
【００３２】
本体部１０は、横長の略長方形状であり、その長手方向の一端（図２の左端）には、二枚の生地１１，１２の間に形成された基材５０を収容するための袋状の部分からなる基材収容部２０が設けられており、長手方向における基材収容部２０の隣（図２の右隣）の位置には、二枚の生地１１，１２の間に形成された洗濯対象のマスク１００（図４参照）を収容するための袋状の部分からなるマスク収容部３０，４０が二つ並べて形成されている。すなわち、本体部１０の基材収容部２０と二つのマスク収容部３０，４０とは、表面側と裏面側の二枚の布地１１，１２を縫合してなる縫合線１４で仕切られた部分であって、それらは本体部１０の長手方向に沿って並べて配置されている。
【００３３】
本体部１０を構成する二枚の生地１１，１２は、ポリエステルなど合成繊維製の網目状の生地である。また、これら二枚の生地１１，１２はそれらの外周縁同士が縫合されている。また、二枚の生地１１，１２の外周縁には、帯状（テープ状）の補強布１５が縫い止められている。この補強布１５によって、二枚の生地１１，１２の形状を安定させることができる。二枚の生地１１，１２が網目状の生地なので、そのままでは十分な張りがなく、洗濯機による繰り返しの使用で型崩れが生じるおそれがあるところ、外周縁の補強布１５で補整することができ、長期に渡って形状の維持が可能となる。
【００３４】
また、図２に示すように、本体部１０の裏面側を構成する生地１２は、上下方向で二枚に分割されており、それらの間は上下方向で所定幅のスリット状の隙間１６になっている。これにより、本体部１０の基材収容部２０に対応する位置には、基材収容部２０に対して基材５０を出し入れするための開口部２１が設けられている。また、本体部１０のマスク収容部３０，４０それぞれに対応する位置には、マスク収容部３０，４０に対してマスク１００を出し入れするための開口部３１，４１が設けられている。これら開口部２１，３１，４１は、本体部１０の長手方向に沿って延びる所定幅のスリット状の部分である。また、生地１２における開口部２１，３１，４１（隙間１６）の縁には、帯状の補強布１７が縫い付けられており、これにより開口部２１，３１，４１の縁の強度が確保されている。
【００３５】
また、本実施形態では、図２に示すように、マスク収容部３０，４０におけるスリット状の開口部３１，４１の上側の部分Ｃ１と下側の部分Ｃ２の比が約２：１となるように開口部３１，４１が配置されている。また、スリット状の開口部３１，４１の幅（上下の幅）は、一例として約２センチメートル程度の寸法にするとよい。このように、マスク収容部３０，４０の開口部３１，４１を所定幅のスリット状の部分としたことで、マスク収容部３０，４０に対してマスク１００を出し入れする作業が行い易くなるので、マスク１００を洗濯する際の作業の負担をさらに軽減することができる。特に、スリット状の開口部３１，４１の上側の部分と下側の部分の比が約２：１になるように開口部３１，４１を配置したことで、上側の部分と下側の部分を均等にする場合よりも、マスク収容部３０，４０に対するマスク１００の出し入れが行い易くなる。
【００３６】
基材収容部２０に収容される基材５０は、図４に示すように、多数のポリプロピレンなど合成樹脂製の筒状のストローチップ（パイプ部材）５１を網目状の生地からなるカバー５２に詰め込んだものである。この基材５０は、多数のストローチップ５１が封筒形又は筒形状のカバー５２に詰め込まれていることで枕状に膨らんだ形状となっており、マスク収容部３０，４０（及び洗濯用のマスク１００）をその周囲（外面）に巻き付けて固定するための土台としての役割を有するものである。
【００３７】
基材５０の中身である合成樹脂製のストローチップ５１は、水はけが良く、乾きやすく、軽量である。また、耐久性が高く水洗が可能である。基材５０の中身にこれらの特性を有するストローチップ５１を使用することで、基材５０が撥水性に優れたものとなるので、洗濯機による洗濯の際の取扱性、及びマスク１００の洗濯性能が向上する。仮に、基材５０の中身をポリウレタン素材や綿類など吸水性の良い材料で構成すると、水分を含んだ基材５０が壁のように作用することで、洗濯の際にマスク１００を十分に濯ぐことができないおそれがある。また、基材５０が水を多く含むとマスク用洗濯ネット１の重量が重くなるため、洗濯機の内胴に偏りができてしまい、洗濯機に負荷がかかることで故障の原因にもなる。このような理由からマスク用洗濯ネット１の基材５０としては、網目状のカバー５２に多数のストローチップ５１を詰めた構成のものが最適である。また、洗濯機による繰り返しの洗濯で基材５０が劣化することを極力防止するため、ストローチップ５１には、比較的硬質の材料からなるものを用いることが望ましい。
【００３８】
なお、マスク用洗濯ネット１は、通常の使用時には、基材収容部２０に基材５０を収容した状態となっている。基材５０は、繰り返しの使用でストローチップ５１やカバー５２に劣化が生じた場合など、交換が必要なときにのみ基材収容部２０から取り出すようにする（図４参照）。
【００３９】
また、本体部１０におけるマスク収容部３０，４０の外面と基材収容部２０の外面には、マスク収容部３０，４０を基材収容部２０の外面に巻き付けた状態で固定するための面ファスナー２（２ａ，２ｂ），３（３ａ，３ｂ）が設けられている。図示するマスク用洗濯ネット１では、二組の面ファスナー２，３が設けられており、一方の組の面ファスナー２は、基材収容部２０の裏面の左縁（図２の左縁）に沿う位置に設けられた一方の部材（メス部材又はオス部材）２ａと、一方のマスク収容部３０の裏面の右縁（図２の右縁）に沿う位置に設けられた他方の部材（オス部材又はメス部材）２ｂとで構成されている。また、他方の組の面ファスナー３は、基材収容部２０の表面の右縁（図１の右縁）に沿う位置に設けられた一方の部材（メス部材又はオス部材）３ａと、他方のマスク収容部４０の裏面の右縁（図２の右縁）に沿う位置に設けられた他方の部材（オス部材又はメス部材）３ｂとで構成されている。後述するように、基材収容部２０の外面にマスク収容部３０，４０を巻き付ける際に、面ファスナー２の部材２ａが部材２ｂに接合されることで、マスク収容部３０が基材収容部２０の外面（裏面側）に取り付けられる。また、面ファスナー３の部材３ａが部材３ｂに接合されることで、マスク収容部４０が基材収容部２０の外面（表面側）に取り付けられる。このように、本実施形態のマスク用洗濯ネット１では、基材５０を収容した基材収容部２０の外面に巻き付けた洗濯対象のマスク１００を収容したマスク収容部３０，４０を面ファスナー２，３で固定する構成となっている。
【００４０】
また、このマスク用洗濯ネット１では、図３に示すように、マスク収容部３０，４０の裏側の生地１２の内面には、マスク収容部３０，４０に収容したマスク１００の位置ずれを防止するための滑り防止布１３が取り付けられている。滑り防止布１３は、ポリプロピレン製の不織布からなり、表側の生地１１と裏側の生地１２との間に挟まれて縫い付けられている。ポリプロピレンは耐薬品性が良く、耐摩擦性に優れている。また、吸湿性が無いため、余分な水分を含むことが無く、マスク用洗濯ネット１の吸水による重量増を防止できるので、洗濯機に余計な負荷を掛けずに済むという利点がある。なお、滑り防止布１３を取り付ける位置は、マスク収容部３０，４０の開口部３１，４１がある側の生地（裏側の生地）１２の内面のみである。仮に、他方の生地（外側の生地）１１の内面に取り付けたり、マスク収容部３０，４０の内側の両面に取り付けたりすると、化粧品などの汚れを落とすための洗剤をマスク用洗濯ネット１の上から塗布したときに洗剤が浸透するのを阻害してしまうため、外側の生地１１の裏面には滑り防止布１３は取り付けていない。
【００４１】
次に、上記構成のマスク用洗濯ネット１を用いてマスク１００を洗濯する際の手順を説明する。
【００４２】
まず、図４に示すように、開口部３１，４１からマスク収容部３０，４０にマスク１００を入れることで、マスク用洗濯ネット１に汚れた（洗濯前の）マスク１００をセットする。このとき、マスク１００がしわにならないように伸ばして入れる。また、マスク１００の汚れている側をマスク用洗濯ネット１の表面１０ａ側に向けて入れる。
【００４３】
図５及び図６は、マスク用洗濯ネットのマスク収容部を基材収容部の外面に巻き付けて固定する手順を示す図である。次に、これらの図に示すように、マスク用洗濯ネット１の表面１ａを外側にしてマスク収容部３０，４０を基材収容部２０の外面に巻き付けて面ファスナー２、３で固定する。このとき、図５に示すように、面ファスナー２の部材２ａを部材２ｂに接合する（貼り合わせる）ことで、マスク収容部３０を基材収容部２０の外面（裏面１０ｂ側）に固定する（貼り付ける）。同様に、図６に示すように、面ファスナー３の部材３ａを部材３ｂに接合する（貼り合わせる）ことで、マスク収容部４０を基材収容部２０の外面（表面１０ａ側）に固定する（貼り付ける）。これらにより、基材収容部２０の外面、すなわち表面側と裏面側のそれぞれにマスク収容部３０，４０が貼り付けられた状態で固定される。このように、本実施形態のマスク用洗濯ネット１では、基材収容部２０の外面に巻き付けたマスク収容部３０，４０を面ファスナー２，３で固定する。
【００４４】
この状態で、マスク用洗濯ネット１を洗濯機の洗濯槽に投入して洗濯する。この際、他の洗濯物と一緒に洗濯してもよいし、単独で洗濯してもよい。なお、マスク１００の汚れがひどい場合には、マスク用洗濯ネット１を洗濯槽に投入する前に、汚れている部分にマスク用洗濯ネット１の上から液体洗剤などの洗剤を塗布する。このとき、マスク用洗濯ネット１の外面１ａの側（マスク収容部３０，４０の外面）からマスク１００の汚れている部分に向けて直接洗剤を塗布するようにする。
【００４５】
マスク収容部３０，４０をしっかりとピンと張った状態で面ファスナー２，３を止めていれば、マスク収容部３０，４０内でマスク１００が動かないので、マスク１００が洗濯中によれたりしわになったりすることがない。また、マスク用洗濯ネット１の本体部１０の生地１１，１２が撥水性の良い網目状の生地であるだけでなく、基材５０の中身のストローチップ５１も撥水性に優れており乾き易いものであるため、マスク１００に付着した洗剤を良くすすぐことができ、乾きやすい状態になっている。さらに、基材５０の中身であるストローチップ５１が水分を保持しないので、水を含んだ状態でマスク用洗濯ネット１の重量が必要以上に重くなることがなく、洗濯機の中で偏ることがない。
【００４６】
洗濯機による洗濯が完了したら、続けて乾燥させる前に脱水機で脱水を行うことができる。全自動洗濯機の場合は、洗濯工程が終わったらそのまま洗濯槽での脱水工程で脱水を行うことができる。あるいは、二槽式洗濯機のように洗濯槽とは別の脱水槽がある場合には、洗濯槽から取り出したマスク用洗濯ネット１をそのままの状態で脱水槽に入れて脱水することができる。なお、脱水は必ずしも行う必要はなく、省略することも可能である。
【００４７】
洗濯機による洗濯、あるいは脱水が完了したら、マスク用洗濯ネット１は、洗濯機の中に入れたときと同じ状態で出てくるので、マスク用洗濯ネット１ごとそのまま干すことができる。このとき、面ファスナー２，３の接合を外して本体部１０を開いた状態とし、その状態で本体部１０の横方向の右側の端辺（基材収容部２０と反対側の端辺）を洗濯ばさみなどでつまんで吊り下げるようにする。このようにすれば、基材５０の重みでマスク用洗濯ネット１の本体部１０の面がまっすぐに伸びた状態となり、マスク収容部３０，４０内のマスク１００も平らに延ばされた状態となる。なお、布製マスクの場合は、それぞれの生地の特性により洗うだけで多少の縮みが発生するので、良好な形状を維持してより長期に渡って繰り返し使用したい場合には、干す際にマスク用洗濯ネット１から取り出して左右に軽く引っ張ってから干すことが望ましい。
【００４８】
以上説明したように、本実施形態のマスク用洗濯ネット１によれば、多数のストローチップ５１を網目状の生地からなるカバー５２に詰めてなる基材５０を収容した基材収容部２０の外面に洗濯対象のマスク１００を収容したマスク収容部３０，４０を巻き付けて面ファスナー２，３で固定するように構成したことで、マスク１００の型崩れを防止でき、かつ生地を極力傷めずに、マスク１００を洗濯機で洗うことができる。特に、不織布製の使い捨てマスクの場合、ノーズクリップがゆがんでしまうことや耳掛け用のゴムが外れてしまったりすることを効果的に防止できる。また、マスク１００を収容した状態での洗濯機による洗濯だけでなく、脱水や、物干しハンガーによる乾燥も行うことが可能となるので、マスク１００を洗濯して乾燥させるまでの作業を非常に簡単かつ効率的に行うことができる。
【００４９】
また、このマスク用洗濯ネット１によれば、本体部１０は、二枚の網目状の生地１１，１２を重ねた構成であり、かつ、基材５０もストローチップ５１を網目状の生地からなるカバー５２に詰めてなる構成なので、洗濯機による洗濯で、マスク１００に付着した汚れを簡単に落とすことができ、マスク１００を綺麗に洗い上げることが可能となる。これにより、日常において手軽に清潔なマスクを使い続けることができるようになるので、健康の維持にも役立つ効果がある。
【００５０】
また、このマスク用洗濯ネット１によれば、マスク１００を洗濯機で他の洗濯物と一緒に洗うことができるので、日常の洗濯の際にマスク１００を手軽に洗えるようになるので、家事の負担を大幅に軽減させることができる。また、不織布製の使い捨てマスクも洗濯機で簡単に洗って再利用ができるようになるので、マスクの購入費用を抑えることができる。
【００５１】
〔第二実施形態〕
次に、本発明の第二実施形態について説明する。なお、第二実施形態の説明及び対応する図面においては、第一実施形態と同一又は相当する構成部分には同一の符号を付し、以下ではその部分の詳細な説明は省略する。また、以下で説明する事項以外の事項、及び図示する以外の事項については、第一実施形態と同じである。
【００５２】
図７は、本発明の第二実施形態にかかるマスク用洗濯ネットを示す図で、マスク用洗濯ネットの本体部及び基材を示す図である。同図に示すように、本実施形態のマスク用洗濯ネット１−２は、二枚の網目状の生地１１，１２を重ねてそれらの外周を縫合して形成された本体部１０−２と、多数の合成樹脂製の筒状のストローチップ５１（図４参照）をカバー５２に収容してなる基材５０−２とを備え、本体部１０−２のマスク収容部３０，４０を基材５０−２の外面に巻き付けて固定するように構成している。すなわち、本実施形態の本体部１０−２は、第一実施形態の本体部１０が備えていた基材収容部２０を備えておらず、マスク収容部３０，４０のみを備えた構成であり、基材５０−２の外面に本体部１０−２のマスク収容部３０，４０を直接巻き付けて固定する構成である。
【００５３】
そして、本実施形態のマスク用洗濯ネット１−２では、図７に示すように、基材５０−２の縦方向（図７の上下方向、以下同じ。）の寸法Ｌ１は、本体部１０−２の縦方向の寸法Ｌ２よりも大きな寸法（Ｌ１＞Ｌ２）である。
【００５４】
また、本実施形態のマスク用洗濯ネット１−２では、本体部１０−２の外面と基材５０−２の外面に、本体部１０−２（マスク収容部３０，４０）を基材５０−２の外面に巻き付けた状態で固定するための面ファスナー２−２（２−２ａ，２−２ｂ），３−２（３−２ａ，３−２ｂ）が設けられている。図示するマスク用洗濯ネット１−２では、二組の面ファスナー２−２，３−２が設けられており、一方の組の面ファスナー２−２は、基材５０−２の表面の右縁（図７（ａ）の右縁）に沿う位置に設けられた一方の部材（オス部材）２−２ａと、本体部１０−２の裏面１０−２ｂの左縁（図７（ａ）の左縁）に沿う位置に設けられた他方の部材（メス部材）２−２ｂとで構成されている。また、他方の組の面ファスナー３−２は、本体部１０−２の表面１０−２ａの右縁（図７（ｂ）の右縁）に沿う位置に設けられた一方の部材（オス部材）３−２ａと、本体部１０−２の裏面１０−２ｂの右縁（図７（ａ）の右縁）に沿う位置に設けられた他方の部材（メス部材）３−２ｂとで構成されている。
【００５５】
なお、本体部１０−２の裏面１０−２ｂ側（開口部３１，４１側）の面ファスナー２−２，３−２をいずれもメス部材２−２ｂ，３−２ｂとしたことで、開口部３１，４１からマスク収容部３０，４０にマスク１００（図４参照）を収容する際に、マスク１００が面ファスナー２−２，３−２のメス部材２−２ｂ，３−２ｂには貼り付くおそれがないため、マスク１００を収容する作業が行い易くなるという効果がある。
【００５６】
また、本実施形態では、本体部１０−２におけるマスク収容部３０，４０の開口部３１，４１を開閉するための手段として、ファスナー１８を設けている。このファスナー１８で開口部３１，４１を開いてマスク１００を出し入れするようになっている。このようなファスナー１８を設けたことで、開口部３１，４１を完全に閉じた状態で洗濯することができるので、洗濯槽内に浮遊している糸くずやゴミがマスク収容部３０，４０に収容したマスク１００に付着することを防止できる。
【００５７】
図８は、本実施形態のマスク用洗濯ネット１−２の本体部１０−２を基材５０−２の外面に巻き付けて固定した状態を示す図で、（ａ）は表面側から見た図、（ｂ）は上方から見た図である。なお、同図（ｂ）は、本体部１０−２と基材５０−２及び面ファスナー２−２，３−２の配置関係を説明するための概略図で、本体部１０−２のマスク収容部３０，４０などは詳細な記載を省略して簡単に示してある。同図に示すように、マスク用洗濯ネット１−２では、基材５０−２の外面に本体部１０−２（マスク収容部３０，４０）を巻き付ける際に、面ファスナー２−２のオス部材２−２ａがメス部材２−２ｂに接合され、さらに、面ファスナー３−２のオス部材３−２ａがメス部材３−２ｂに接合されることで、マスク収容部３０，４０が基材５０−２の外面（裏面側）に取り付けられる。このように、本実施形態のマスク用洗濯ネット１−２では、基材５０−２の外面に巻き付けた洗濯対象のマスク１００を収容したマスク収容部３０，４０を面ファスナー２−２，３−２で固定する構成となっている。
【００５８】
ここで、本体部１０−２に設けた面ファスナー２−２のメス部材２−２ｂと面ファスナー３−２のオス部材３−２ａは、マスク収容部３０の一部（図７（ａ）の左端及び図７（ｂ）の右端の一部）に重なる位置に設けられている。その一方で、面ファスナー３−２のメス部材３−２ｂは、マスク収容部４０に隣接する位置（マスク収容部４０と重ならない位置）に設けられている。このように、基材５０−２に本体部１０−２を巻き付けた際に外面側に配置される面ファスナー３−２のメス部材３−２ｂをマスク収容部４０と重ならない位置に設けたことで、マスク収容部４０と重なる位置に設けた場合と比較して、面ファスナー３−２（メス部材３−２ｂ）のより高い強度を確保することができる。したがって、洗濯機による洗濯で面ファスナー３−２（メス部材３−２ｂ）にしわやめくれ等が生じにくくなるので、より耐久性に優れたマスク用洗濯ネット１−２となる。
【００５９】
本実施形態のマスク用洗濯ネット１−２でも、多数のストローチップ５１を網目状の生地からなるカバー５２に詰めてなる基材５０−２の外面に洗濯対象のマスク１００を収容したマスク収容部３０，４０を巻き付けて面ファスナー２−２，３−２で固定するように構成したことで、マスク１００の型崩れを防止でき、かつ生地を極力傷めずに、マスク１００を洗濯機で洗うことができる。
【００６０】
また、本実施形態のマスク用洗濯ネット１−２では、基材５０−２の縦方向の寸法Ｌ１が本体部１０−２の縦方向の寸法Ｌ２よりも大きな寸法であることで、本体部１０−２のマスク収容部３０，４０及び該マスク収容部３０，４０に収容されたマスク１００が基材５０−２の胴体部分（縦方向における上端部５０−２ａ及び下端部５０−２ｂを除く中間部分）に巻き付けられた状態で固定されるようになる。これにより、洗濯中にマスク収容部３０，４０及び該マスク収容部３０，４０に収容されたマスク１００の端辺（縦方向の両端辺）１００ａ，１００ｂ（図４参照）が基材５０−２の表面にしっかりと貼り付いた状態を維持して洗濯できるので、マスク１００の端辺１００ａ，１００ｂによれやしわなどが生じることを効果的に防止でき、マスク１００を極力劣化させずに洗い上げることができる。したがって、繰り返しの洗濯でもマスク１００に型くずれやしわや生地の痛みなどが生じることを極力防止することができる。
【００６１】
本発明は、以上説明した実施の形態に適用が限定されるものではなく、特許請求の範囲及び明細書と図面に記載された技術的思想の範囲内で種々の変形が可能である。例えば、上記実施形態では、基材収容部２０やマスク収容部３０，４０の開口部２１，３１，４１を所定幅のスリット状とした場合を示したが、これ以外にも、本発明のマスク収容部や基材収容部の開口部は、線ファスナーなど接合具を設けて開閉が可能な構成としてもよい。また、第一実施形態のマスク用洗濯ネット１では、固定具である面ファスナーは、一方の組の面ファスナー２（２ａ，２ｂ）と他方の組の面ファスナー３（３ａ，３ｂ）の両方を設けた場合を示したが、これ以外にも、一方の組の面ファスナー２（２ａ，２ｂ）のみを設けるようにしてもよい。また、面ファスナー以外の種類の接合具（一例としてスナップやボタンなど）を用いることも可能である。また、上記実施形態では、本体部１０（１０−２）に二つのマスク収容部３０，４０を備える場合を示したが、これ以外にも、本発明のマスク用洗濯ネットの本体部のマスク収容部は、一つまたは三つ以上を設けることも可能である。
【符号の説明】
【００６２】
１，１−２ マスク用洗濯ネット
２ 面ファスナー（固定具）
２ａ，２ｂ 部材
３ 面ファスナー（固定具）
３ａ，３ｂ 部材
１０，１０−２  本体部
１０ａ，１０−２ａ 表面
１０ｂ，１０−２ｂ 裏面
１１ 生地（一方の生地）
１２ 生地（他方の生地）
１３ 滑り防止布
１４ 縫合線
１５ 補強布
１６ 隙間
１７ 補強布
２０ 基材収容部
２１ 開口部
３０，４０ マスク収容部
３１，４１ 開口部
５０，５０−２  基材
５１ ストローチップ
５２ カバー
１００ マスク
【要約】
【課題】布製のマスクや不織布製の使い捨てマスクの洗濯機での洗濯に適したマスク用洗濯ネットを提供すること。
【解決手段】二枚の網目状の生地（１１，１２）を重ねてそれらの外周を縫合して形成された本体部（１０）と、多数の合成樹脂製の筒状のストローチップ（５１）を有する基材（５０）と、本体部（１０）の一部に設けられて、基材（５０）を収容するための袋状の部分からなる基材収容部（２０）と、本体部（１０）の他の一部に設けられて、洗濯対象のマスク（１００）を収容するための袋状の部分からなるマスク収容部（３０，４０）と、マスク収容部（３０，４０）を基材収容部（２０）の外面に固定するための固定具（２，３）と、を備え、マスク収容部（３０，４０）を基材収容部（２０）の外面に巻き付けて固定具（２，３）で固定するように構成したマスク用洗濯ネット（１）。
【選択図】図５【図１】
0006813223.tif 000002
【図２】
0006813223.tif 000003
【図３】
0006813223.tif 000004
【図４】
0006813223.tif 000005
【図５】
0006813223.tif 000006
【図６】
0006813223.tif 000007
【図７】
0006813223.tif 000008
【図８】
0006813223.tif 000009